(57)【要約】      （修正有）【課題】鉄道を利用した商品販売方法およびその商品販売支援システムを提供する。【解決手段】あらかじめ鉄道会社が商品販売を可能として設定した鉄道の車両内において，事前に登録した乗車駅で乗車をした販売業者が，あらかじめ登録した降車駅で降車するまで，その車両内において商品を販売する商品販売方法と，それを実現するための商品販売支援システムであって，予約可能情報記憶部と，販売業者端末から予約可能情報の表示要求を受け付けると，予約可能情報記憶部に記憶する予約可能情報を抽出し，販売業者端末に表示させる予約可能情報表示処理部と，販売業者端末から，予約可能情報に対応する予約情報を受け付ける予約情報受付処理部と，予約情報記憶部と，購入者端末から，販売情報の表示要求を受け付けると，予約情報記憶部に記憶する予約情報を抽出し，予約情報に基づく販売情報を購入者端末に表示させる販売情報表示処理部とを有する。【選択図】図１
2014232401.tif 000002
【特許請求の範囲】
【請求項１】
鉄道を利用して商品を販売する商品販売方法であって，
あらかじめ鉄道会社が商品販売を可能として設定した鉄道の車両内において，事前に登録した乗車駅で乗車をした販売業者が，あらかじめ登録した降車駅で降車するまで，その車両内において商品を販売する，
ことを特徴とする鉄道を利用した商品販売方法。
【請求項２】
前記鉄道を利用した商品販売方法であって，
前記降車駅で降車した販売業者は，
あらかじめ鉄道会社が商品販売を可能として設定した前記降車駅の空いているプラットホームで，前記商品を販売する，
ことを特徴とする請求項１に記載の鉄道を利用した商品販売方法。
【請求項３】
前記鉄道，プラットホームは，
混雑する方面とは逆方面の鉄道の車両，その鉄道が停車するプラットホームである，
ことを特徴とする請求項２に記載の鉄道を利用した商品販売方法。
【請求項４】
請求項１から請求項３のいずれかに記載の商品販売方法を実現するための商品販売支援システムであって，
商品販売可能として鉄道会社があらかじめ設定した鉄道の車両および／または駅のプラットホームの予約可能情報を記憶する予約可能情報記憶部と，
商品販売を行う販売業者が利用する販売業者端末から予約可能情報の表示要求を受け付けると，前記予約可能情報記憶部に記憶する予約可能情報を抽出し，前記販売業者端末に表示させる予約可能情報表示処理部と，
前記販売業者端末から，前記予約可能情報に対応する予約情報を受け付ける予約情報受付処理部と，
前記受け付けた予約情報を記憶する予約情報記憶部と，
購入者が利用する購入者端末から，販売情報の表示要求を受け付けると，前記予約情報記憶部に記憶する予約情報を抽出し，前記予約情報に基づく販売情報を前記購入者端末に表示させる販売情報表示処理部と，
を有することを特徴とする鉄道を利用した商品販売支援システム。
【請求項５】
前記商品販売支援システムは，さらに，
前記鉄道会社が利用する鉄道会社端末から予約可能情報を受け付け，前記予約可能情報記憶部に記憶させる予約可能情報受付処理部，
を有することを特徴とする請求項４に記載の鉄道を利用した商品販売支援システム。
【請求項６】
前記予約可能情報として設定される鉄道の車両および／または駅のプラットホームは，通勤時間帯において利用される方面とは逆の方面の鉄道の車両および／またはその鉄道が停車するプラットホームである，
ことを特徴とする請求項４または請求項５に記載の鉄道を利用した商品販売支援システム。
【請求項７】
鉄道を利用した商品販売支援システムであって，
商品販売可能として鉄道会社があらかじめ設定した鉄道の車両および／または駅のプラットホームの予約可能情報を記憶する予約可能情報記憶部と，
商品販売を行う販売業者が利用する販売業者端末から予約可能情報の表示要求を受け付けると，前記予約可能情報記憶部に記憶する予約可能情報を抽出し，前記販売業者端末に表示させる予約可能情報表示処理部と，
前記販売業者端末から，前記予約可能情報に対応する予約情報を受け付ける予約情報受付処理部と，
前記受け付けた予約情報を記憶する予約情報記憶部と，
購入者が利用する購入者端末から，販売情報の表示要求を受け付けると，前記予約情報記憶部に記憶する予約情報を抽出し，前記予約情報に基づく販売情報を前記購入者端末に表示させる販売情報表示処理部と，
を有することを特徴とする鉄道を利用した商品販売支援システム。
【発明の詳細な説明】
【技術分野】
【０００１】
本発明は，鉄道を利用した商品販売方法およびその商品販売支援システムに関する。より詳細には，鉄道車両またはプラットホームの空き時間帯を利用して商品を販売する商品販売方法と，その販売方法を支援するための商品販売支援システムに関する。
【背景技術】
【０００２】
本邦では鉄道網が諸外国と比較して発達しており，全国津々浦々にまで路線が張り巡らされている。そのため，多くの人が日常的に移動手段として鉄道を利用している。特に，通勤や通学などではもっとも利用される交通機関となっている。
【０００３】
その一方，多くの人が通勤や通学に鉄道を利用しているので，同じ時間帯には同じ方向に乗り合わせることが多い。
【０００４】
たとえば朝の通勤時間帯には，郊外から都心部へ向かう方面の鉄道の車両が混雑をし，反対に都心部から郊外に向かう方面の鉄道の車両は，比較的空いている。また，夜の通勤時間帯には，都心部から郊外に向かう方面の鉄道の車両が混雑をし，反対に郊外から都心部に向かう方面の鉄道の車両は，比較的空いている。
【０００５】
そして鉄道の混雑度合いに応じて駅のプラットホームも混雑度合いが変化する。すなわち，朝の通勤時間帯には，郊外から都心部へ向かう方面の鉄道が停車するプラットホームが混雑をし，都心部から郊外に向かう方面の鉄道が停車するプラットホームは比較的空いている。また，夜の通勤時間帯には，都心部から郊外に向かう方面の鉄道が停車するプラットホームが混雑をし，反対に郊外から都心部に向かう方面の鉄道が停車するプラットホームは，比較的空いている。
【０００６】
鉄道の利用者が商品を購入したい場合，駅構内やプラットホームに設置された売店や（非特許文献１），長距離路線の場合には車内販売を利用する。
【先行技術文献】
【特許文献】
【０００７】
【特許文献１】特開２００５−１６５５５９号公報
【発明の概要】
【発明が解決しようとする課題】
【０００８】
上述のように，時間帯に応じて，鉄道の車両やプラットホームの混雑度合いは変化をする。また，時間帯にかかわらず，鉄道の車両やプラットホームで空いている場合には，その空きスペースの有効活用が行えることが好ましいが，従来は，特に何らの対策も採られていない。
【０００９】
また駅構内やプラットホームの空間を有効活用するため，非特許文献１のような商品販売管理システムを備えた売店をそれらの場所に設置し，商品を販売することが行われている。しかし，このような売店は恒常的に設置されており，混雑度合いや時間帯に応じたものではない。また売店で商品を販売する場合，商品を当該売店まで運搬するが，運搬する間は商品は運ばれるだけであって，その間に当該商品を購入したいと考える利用者がいても，それを販売することはない。従って，機会損失に繋がっている。
【課題を解決するための手段】
【００１０】
そこで本発明者は上記課題に鑑み，鉄道を利用した商品販売方法およびそれを実現するための商品販売支援システムを発明した。
【００１１】
第１の発明は，鉄道を利用して商品を販売する商品販売方法であって，あらかじめ鉄道会社が商品販売を可能として設定した鉄道の車両内において，事前に登録した乗車駅で乗車をした販売業者が，あらかじめ登録した降車駅で降車するまで，その車両内において商品を販売する，鉄道を利用した商品販売方法である。
【００１２】
上述の発明において，前記鉄道を利用した商品販売方法であって，前記降車駅で降車した販売業者は，あらかじめ鉄道会社が商品販売を可能として設定した前記降車駅の空いているプラットホームで，前記商品を販売するとよい。
【００１３】
上述の発明において，前記鉄道，プラットホームは，混雑する方面とは逆方面の鉄道の車両，その鉄道が停車するプラットホームである，ことがよい。
【００１４】
これらの発明によって，空いている鉄道の車両，プラットホームにおいて販売業者は，商品を販売することができる。そして，販売業者は，都心部に商品を運ぶとともに，その運搬中に，鉄道の車両内で販売することができるので，販売の機会損失がない。また，降車後も駅のプラットホームで販売を行えば，人が集まる駅で販売できるので，鉄道を利用することとあいまって，コストを抑えて商品の販売が可能となる。その結果，商品の購入者の側からは，安価に商品を購入できるというメリットもある。これは，商品が特に生鮮食料品の場合，生産地で生産した食料品の販売の場合には効果が高い。
【００１５】
また，商品の購入者は最寄り駅で購入することも多く，購入者から見て時間効率がよい。販売業者にとっても，コンビニエンスストアやｅコマースなどの他の販売形態と比較しても，鉄道の車両，駅のプラットホームで完結するので，輸送費などを含め，物流コストが軽減される。さらに，後述の発明の商品販売支援システムなどのＩＴ技術を活用することで効果が上がることとなる。
【００１６】
上述の商品販売方法を実現するためには，鉄道の車両，プラットホームを利用するために，事前に予約が行えるとよい。そこで，以下の発明のように構成することができる。すなわち，鉄道を利用した商品の販売方法を実現するための商品販売支援システムであって，商品販売可能として鉄道会社があらかじめ設定した鉄道の車両および／または駅のプラットホームの予約可能情報を記憶する予約可能情報記憶部と，商品販売を行う販売業者が利用する販売業者端末から予約可能情報の表示要求を受け付けると，前記予約可能情報記憶部に記憶する予約可能情報を抽出し，前記販売業者端末に表示させる予約可能情報表示処理部と，前記販売業者端末から，前記予約可能情報に対応する予約情報を受け付ける予約情報受付処理部と，前記受け付けた予約情報を記憶する予約情報記憶部と，購入者が利用する購入者端末から，販売情報の表示要求を受け付けると，前記予約情報記憶部に記憶する予約情報を抽出し，前記予約情報に基づく販売情報を前記購入者端末に表示させる販売情報表示処理部と，を有する鉄道を利用した商品販売支援システムである。
【００１７】
上述の発明において，前記商品販売支援システムは，さらに，前記鉄道会社が利用する鉄道会社端末から予約可能情報を受け付け，前記予約可能情報記憶部に記憶させる予約可能情報受付処理部，を有する鉄道を利用した商品販売支援システムのように構成することもできる。
【００１８】
これらの発明の商品販売支援システムを用いることで，鉄道会社が販売に利用可能として設定した鉄道の車両，プラットホームに対する予約を販売業者が行うことができる。またその販売業者の予約情報に基づく販売情報を購入者が閲覧することによって，購入者は，いつどこでどのような商品が販売されるのかを知ることができる。そのため，その販売のタイミングに合わせて商品を購入することができる。
【００１９】
上述の発明において，前記予約可能情報として設定される鉄道の車両および／または駅のプラットホームは，通勤時間帯において利用される方面とは逆の方面の鉄道の車両および／またはその鉄道が停車するプラットホームである，商品販売支援システムのように構成することもできる。
【００２０】
日常的に移動手段として鉄道が利用されている本邦では，通勤時間帯に特定の方面のみが混雑をし，反対方面が空いていることが多い。そのため，反対方面の鉄道の車両は，そのスペースが無駄となっている。そこでその反対方面のスペースを利用することで，空いたスペースを有効活用することができる。
【００２１】
上述の商品販売支援システムは，以下のように実現しても同様の技術的効果を得ることができる。すなわち，鉄道を利用した商品販売支援システムであって，商品販売可能として鉄道会社があらかじめ設定した鉄道の車両および／または駅のプラットホームの予約可能情報を記憶する予約可能情報記憶部と，商品販売を行う販売業者が利用する販売業者端末から予約可能情報の表示要求を受け付けると，前記予約可能情報記憶部に記憶する予約可能情報を抽出し，前記販売業者端末に表示させる予約可能情報表示処理部と，前記販売業者端末から，前記予約可能情報に対応する予約情報を受け付ける予約情報受付処理部と，前記受け付けた予約情報を記憶する予約情報記憶部と，購入者が利用する購入者端末から，販売情報の表示要求を受け付けると，前記予約情報記憶部に記憶する予約情報を抽出し，前記予約情報に基づく販売情報を前記購入者端末に表示させる販売情報表示処理部と，を有する鉄道を利用した商品販売支援システムである。
【発明の効果】
【００２２】
本発明を用いることによって，鉄道車両やプラットホームが比較的空いている場合に，その空きスペースを有効活用して，商品の販売を行うことができる。また，商品を産地から直接，運搬する際に，その運搬経路を利用して販売ができるので，産地直送を安価に実現することもできる。
【図面の簡単な説明】
【００２３】
【図１】本発明のシステム構成の概念図の一例を模式的に示す図である。
【図２】本発明で用いるコンピュータのハードウェア構成の一例を模式的に示す図である。
【図３】本発明の処理プロセスの一例を模式的に示すフローチャートである。
【図４】予約可能情報記憶部の一例を模式的に示す図である。
【図５】予約可能情報記憶部の一例を模式的に示す図である。
【図６】予約可能情報の表示画面の一例を模式的に示す図である。
【図７】予約可能情報の表示画面の一例を模式的に示す図である。
【図８】予約情報記憶部の一例を模式的に示す図である。
【図９】予約情報記憶部の一例を模式的に示す図である。
【図１０】販売情報の表示画面の一例を模式的に示す図である。
【図１１】販売情報の表示画面の一例を模式的に示す図である。
【発明を実施するための形態】
【００２４】
本発明の鉄道を利用した商品販売支援システム１（以下，「商品販売支援システム１」）のシステム構成の一例の概念図を図１に示す。また，商品販売支援システム１を実現するコンピュータのハードウェア構成の一例を図２に模式的に示す。
【００２５】
コンピュータとしては，スマートフォンを含む携帯電話，ＰＨＳ，ＰＤＡ，タブレット型コンピュータなどの持ち運び可能な可搬型通信端末のほか，パーソナルコンピュータ，サーバなどを含む。
【００２６】
コンピュータは，プログラムの演算処理を実行するＣＰＵなどの演算装置７０と，情報を記憶するＲＡＭなどの記憶装置７１と，ディスプレイなどの表示装置７２と，マウスやキーボード，タッチパネルなどの各種入力インターフェイスの入力装置７３と，演算装置７０処理結果や記憶装置７１に記憶する情報を公衆電話回線，インターネットやＬＡＮなどのネットワークを介して送受信する通信装置７４とを有している。コンピュータ上で実現する各機能（各手段）は，その処理を実行する手段（プログラムやモジュールなど）が演算装置７０に読み込まれることでその処理が実行される。各機能は，記憶装置７１に記憶した情報をその処理において使用する場合には，該当する情報を当該記憶装置７１から読み出し，読み出した情報を適宜，演算装置７０における処理に用いる。
【００２７】
本発明における各手段は，その機能が論理的に区別されているのみであって，物理上あるいは事実上は同一の領域を為していても良い。
【００２８】
鉄道会社端末３は，鉄道会社の担当者が利用するコンピュータであって，スマートフォンを含む携帯電話，ＰＨＳ，ＰＤＡ，タブレット型コンピュータなどの持ち運び可能な通信端末のほか，パーソナルコンピュータなどを含む。
【００２９】
販売業者端末４は，鉄道の空いている車両内または空いているプラットホームを利用して商品の販売を行う販売業者（なお，自然人でも法人でもよい）が利用するコンピュータであって，スマートフォンを含む携帯電話，ＰＨＳ，ＰＤＡ，タブレット型コンピュータなどの持ち運び可能な通信端末のほか，パーソナルコンピュータなどを含む。
【００３０】
購入者端末５は，上記販売業者が販売する商品の購入を希望するユーザ（購入者）が利用するコンピュータであって，スマートフォンを含む携帯電話，ＰＨＳ，ＰＤＡ，タブレット型コンピュータなどの持ち運び可能な通信端末のほか，パーソナルコンピュータなどを含む。
【００３１】
管理サーバ２は，予約可能情報受付処理部２０と予約可能情報記憶部２１と予約可能情報表示処理部２２と予約情報受付処理部２３と予約情報記憶部２４と販売情報表示処理部２５とを有する。
【００３２】
予約可能情報受付処理部２０は，鉄道会社端末３から，空いている鉄道車両またはプラットホームの情報を予約可能情報として受け付け，後述する予約可能情報記憶部２１に記憶させる。予約可能情報として登録された鉄道車両，プラットホームについて，販売業者が商品を販売するのに利用可能なスペースとなり，それに対して，販売業者が予約を行うこととなる。予約可能情報としては，鉄道車両の場合，日付，路線，列車番号，予約可能区間，予約の空き数などがある。また，プラットホームの場合，日付，駅，予約可能時間帯，予約の空き数などの情報がある。
【００３３】
予約可能情報記憶部２１は，予約可能情報受付処理部２０で受け付けた予約可能情報を記憶する。図４および図５に予約可能情報記憶部２１の一例を模式的に示す。図４は空いている鉄道の車両の予約可能情報であり，図５は空いている駅のプラットホームの予約可能情報である。
【００３４】
予約可能情報表示処理部２２は，販売業者端末４から予約可能情報表示要求を受け付けることで，日付，路線，駅などの条件に該当する予約可能情報を，予約可能情報記憶部２１から抽出して表示させる。販売業者端末４で表示される予約可能情報の画面の一例を図６に模式的に示す。図６は鉄道の車両の予約可能情報の画面の場合である。この場合，予約可能情報表示処理部２２は，日付，路線，列車番号などの情報に基づいて，図示しない公知の時刻表の情報を参照することによって，予約可能情報の画面には，駅ごとの出発時刻，到着時刻を表示し，それに対して，乗車，降車の情報の入力が可能になることが好ましい。また，当該販売業者が販売しようとする商品の情報の入力が可能となっているとよい。
【００３５】
また図７に駅のプラットホームの予約可能情報の画面の場合を示す。予約可能情報の画面には，利用を所望する駅，利用開始時刻，利用終了時刻，当該販売業者が販売しようとする商品の情報の入力が可能となっているとよい。
【００３６】
予約情報受付処理部２３は，販売業者端末４で表示された予約可能情報の画面で入力された情報を，予約情報として受け付け，予約情報記憶部２４に記憶させる。予約情報として入力を受け付けると，予約可能情報記憶部２１における当該列車番号の空き数を１つ減算して記憶させる。空き数が０になると，予約可能情報表示処理部２２で予約可能情報の表示要求を受け付けても，その画面に表示されない。または，予約が行えない状態として表示がされる。
【００３７】
鉄道の車両の場合の予約情報としては，予約した販売業者を識別する販売業者識別情報，日付，列車番号，乗車駅，降車駅，販売する商品の情報などがある。プラットホームの場合の予約情報としては，予約した販売業者を識別する販売業者識別情報，日付，駅，利用開始時刻，利用終了時刻，販売する商品の情報などがある。なお，日付や列車番号などの情報は，図６や図７に示すように，あらかじめ画面に表示されている情報を用いればよい。
【００３８】
予約情報記憶部２４は，予約情報受付処理部２３で受け付けた予約情報を記憶する。図８および図９に予約情報記憶部２４の一例を模式的に示す。図８は空いている鉄道の車両の予約情報であり，図９は空いている駅のプラットホームの予約情報である。
【００３９】
販売情報表示処理部２５は，購入者端末５からの販売情報表示要求を受け付けることで，日付，路線，駅などの条件に該当する予約情報を，予約情報記憶部２４から抽出して販売情報として表示させる。すなわち，予約情報として記憶されていれば，それは予約された日付，場所，時間において商品の販売が行われる予定であることを意味するから，予約情報記憶部２４に記憶する予約情報を販売情報として表示させられる。なお予約情報における販売業者識別情報をそのまま表示しても，それを閲覧する鉄道の利用者からはどの販売業者かは認識が困難であることから，販売業者識別情報と販売業者名との対応テーブルを別途，備えておき，それを参照することで，販売業者識別情報の代わりに販売業者名を表示させるとよい。購入者端末５で表示される販売情報の画面の一例を図１０および図１１に模式的に示す。図１０は鉄道の車両内での販売情報の画面の一例であり，図１１は駅のプラットホームでの販売情報の画面の一例である。
【００４０】
次に本発明の鉄道を利用した商品販売方法および商品販売支援システム１の処理プロセスの一例を模式的に示す。
【００４１】
まず，空いている鉄道の車両やプラットホームを商品販売のために提供する鉄道会社の担当者は，鉄道会社端末３で所定の操作を行うことで，商品販売が可能な鉄道の車両，プラットホームの情報を設定する（Ｓ１００）。たとえば，２０１３年５月２３日の常磐線における，列車番号「１３８４Ｍ」，「１３８８Ｍ」を提供する場合，予約可能情報として，日付「２０１３年５月２３日」，路線「常磐線」，列車番号「１３８４Ｍ」，予約可能区間「勝田から上野」，予約可能数（予約の空き数）「２」と，日付「２０１３年５月２３日」，路線「常磐線」，列車番号「１３８８Ｍ」，予約可能区間「水戸から上野」，予約可能数（予約の空き数）「３」を入力する。なお，予約可能数（予約の空き数）は，その車両やプラットホームの許容量により，適宜設定すればよい。
【００４２】
また，２０１３年５月２３日の常磐線の空いているプラットホームの情報を設定するためには，予約可能情報として，日付「２０１３年５月２３日」，駅「水戸」，予約可能時間帯「１０時００分〜１５時３０分」，予約可能数「５」と，日付「２０１３年５月２３日」，駅「土浦」，予約可能時間帯「１０時３０分〜１６時００分」，予約可能数「７」と，日付「２０１３年５月２３日」，駅「取手」，予約可能時間帯「１１時００分〜１５時００分」，予約可能数「３」と，日付「２０１３年５月２３日」，駅「上野」，予約可能時間帯「１１時００分〜１６時００分」，予約可能数「９」と，を入力する。
【００４３】
このようにして鉄道会社端末３で入力された情報は，鉄道会社端末３から管理サーバ２に送られ，管理サーバ２の予約可能情報受付処理部２０で受け付ける。そして予約可能情報受付処理部２０は，受け付けた各予約可能情報を予約可能情報記憶部２１に記憶させる（Ｓ１１０）。
【００４４】
このようにして予約可能情報が登録されると，鉄道の車両内や駅で販売を希望する販売業者は，販売業者端末４で所定の操作を行うことで，予約可能情報の表示要求を販売業者端末４から管理サーバ２に送る。この際に，表示する予約可能情報の条件もあわせて受け付けるとよい。たとえば日付「２０１３年５月２３日」，路線「常磐線」などが条件としてある。
【００４５】
この表示要求を受け付けた予約可能情報表示処理部２２は，条件に該当する予約可能情報を予約可能情報記憶部２１から抽出し，抽出した予約可能情報に基づいて販売業者端末４に検索結果となる表示画面を表示させる（Ｓ１２０）。たとえば日付「２０１３年５月２３日」，路線「常磐線」の鉄道の車両の予約可能情報の表示要求の場合，図４の予約可能情報記憶部２１に基づけば，列車番号「１３８４Ｍ」，「１３８８Ｍ」が該当するので，それらの列車番号に基づいて図示しない時刻表情報を参照し，図６に示すような画面を販売業者端末４に表示させる。
【００４６】
また，日付「２０１３年５月２３日」，路線「常磐線」のプラットホームの予約可能情報の表示要求の場合，図５の予約可能情報記憶部２１に基づけば，駅「水戸」，「土浦」，「取手」，「上野」が該当するので，図７に示すような画面を販売業者端末４に表示させる。
【００４７】
たとえば「水戸」から「取手」までは列車番号「１３８４Ｍ」の車両内で販売し，その後，取手駅のプラットホームで「１３時２０分」から「１５時００分」まで，「野菜」を販売をしたい場合には，まず図６に表示した画面から乗車駅として「水戸」を選択（チェックボックスをチェック）し，降車駅として「取手」を選択する。そして，販売商品として「野菜」の入力を行う。この予約情報が販売業者端末４から管理サーバ２に送られると，管理サーバ２の予約情報受付処理部２３で受け付け（Ｓ１３０），その予約情報を予約情報記憶部２４に記憶させる（Ｓ１４０）。
【００４８】
つぎに図７に表示した画面から利用する駅として「取手」を選択し，開始時刻として「１３時２０分」，終了時刻として「１５時００分」，販売商品として「野菜」の入力を行う。この予約情報が販売業者端末４から管理サーバ２に送られると，管理サーバ２の予約情報受付処理部２３で受け付け（Ｓ１３０），その予約情報を予約情報記憶部２４に記憶させる（Ｓ１４０）。
【００４９】
以上のような予約情報の登録処理を行うことで，各予約情報が予約情報記憶部２４に記憶され，予約情報は，図８，図９に示すようになる。なお，販売業者識別情報は，予約情報を送る際に，販売業者端末４からあわせて受け取ればよい。
【００５０】
このようにして予約情報が商品を販売する販売業者によって登録される。この予約情報は，商品を購入する鉄道の利用者からすれば販売する商品と販売場所を示す情報である。そしてこれらの商品の購入を鉄道の利用者がしたい場合には，購入者端末５で所定の操作を行うことで，販売情報の表示要求を購入者端末５から管理サーバ２に送る。この際に，表示する販売情報の条件も合わせて受け付けるとよい。たとえば日付「２０１３年５月２３日」，路線「常磐線」などが条件としてある。
【００５１】
この表示要求を受け付けた販売情報表示処理部２５は，条件に該当する販売情報（予約情報）を予約情報記憶部２４から抽出し，抽出した販売情報に基づいて販売業者端末４に検索結果となる表示画面を表示させる（Ｓ１５０）。たとえば日付「２０１３年５月２３日」，路線「常磐線」の車両内での販売情報の表示要求の場合，図８の予約情報記憶部２４に基づけば，列車番号「１３８４Ｍ」，「１３８８Ｍ」が該当するので，それらの列車番号に基づいて図示しない時刻表情報を参照し，図１０に示すような画面を販売業者端末４に表示させる。
【００５２】
また，日付「２０１３年５月２３日」，路線「常磐線」のプラットホームでの販売情報の表示要求の場合，図９の予約情報記憶部２４に基づけば，駅「取手」，「上野」が該当するので，図１１に示すような画面を販売業者端末４に表示させる。
【００５３】
このようにして購入者は，鉄道の車両，プラットホームにおける販売情報を閲覧することができる。従って，購入者は，販売情報として表示された日時に鉄道を利用する，あるいはプラットホームに行けばよい。
【００５４】
一方，予約情報を登録した販売業者は，予約をした日付に，予約をした鉄道に乗車をすることで降車駅に到着をするまで，鉄道の車両内で販売を行う。上述の「Ａ社」の場合，日付「２０１３年５月２３日」の路線「常磐線」の列車番号「１３８４Ｍ」に，「水戸」駅から乗車をし，車両内の定められた場所で商品「野菜」の販売を開始する。そして当該鉄道が「取手」駅に到着すると降車をする。そして取手駅の所定のプラットホームに移動し，「１３時２０分」から「１５時００分」になるまでプラットホームでの商品「野菜」の販売を行う。
【００５５】
鉄道の利用者は，Ｓ１５０での販売情報の閲覧に基づき，自己に都合がよい場所で当該鉄道に乗車し，あるいは「取手」駅の当該プラットホームにいき，商品を購入する。
【００５６】
以上のように，本発明の商品販売支援システム１で，空いている鉄道の車両内，プラットホームにおける商品販売の予約を行うことで，空いている鉄道の車両，プラットホームを利用した商品販売方法を実現することができる。そして，商品を販売する販売業者は，その商品が特に生鮮食料品の場合，生産地で生産した食料品を都心部に運ぶ際に，当該鉄道の車両内で運搬中に販売することができ，また人が集まる駅という場所で，空いているプラットホームを利用して販売することができるので，販売の機会損失がなく，また鉄道を利用しているので，コストも抑えて販売ができる。また購入者の側からは，新鮮な生鮮食料品を安価に購入することができる。
【００５７】
なお，本明細書では，鉄道の車両内とプラットホームの双方で予約の登録を行う場合を説明したが，鉄道の車両内，プラットホームのいずれかのみの予約の登録を行えてもよい。また販売情報として，より詳細な情報，たとえば何両目かを示す情報などを登録してもよい。
【００５８】
また，上述の実施例では空いている時間帯の鉄道の車両，プラットホームを用いた場合を説明したが，朝，夜の通勤時間帯においては，混雑している方面とは反対方面の鉄道の車両，その鉄道が停車するプラットホームを用いることがよい。
【００５９】
また，本発明における「商品販売」とは，「役務提供」も含む。
【産業上の利用可能性】
【００６０】
本発明を用いることによって，鉄道車両やプラットホームが比較的空いている場合に，その空きスペースを有効活用して，商品の販売を行うことができる。また，商品を産地から直接，運搬する際に，その運搬経路を利用して販売ができるので，産地直送を安価に実現することもできる。
【符号の説明】
【００６１】
１：鉄道を利用した商品販売支援システム
２：管理サーバ
３：鉄道会社端末
４：販売業者端末
５：購入者端末
２０：予約可能情報受付処理部
２１：予約可能情報記憶部
２２：予約可能情報表示処理部
２３：予約情報受付処理部
２４：予約情報記憶部
２５：販売情報表示処理部
７０：演算装置
７１：記憶装置
７２：表示装置
７３：入力装置
７４：通信装置
【図１】
2014232401.tif 000003
【図２】
2014232401.tif 000004
【図３】
2014232401.tif 000005
【図４】
2014232401.tif 000006
【図５】
2014232401.tif 000007
【図６】
2014232401.tif 000008
【図７】
2014232401.tif 000009
【図８】
2014232401.tif 000010
【図９】
2014232401.tif 000011
【図１０】
2014232401.tif 000012
【図１１】
2014232401.tif 000013